(57)【要約】      （修正有）【課題】屋根パネルが温度変化により伸縮した場合でも、タイトフレームのスライド部分が屋根パネルの変位に追随する構造を、コンパクトに形成する。【解決手段】折板を支持する長尺の波打ち帯板からなるタイトフレーム１の底部平面適所に、タイトフレームに対して直角方向に長孔７を設け、この長孔のあるタイトフレーム底部平面下側に、タイトフレームの幅より長いスライド金物を長孔方向に摺動自在に接着させ、またこのタイトフレーム底部平面上側には、中心部に小孔を有し且つタイトフレーム幅より僅かに長い有弾性の押え金物を、タイトフレームの長孔上に被せるように配置し、前記スライド金物の中心部から上方に向けて絞りだし成形又は別途円筒体を接合した短円筒をタイトフレームの長孔、押え金具の小孔に挿通させた後、先端部をカシメ加工または鍔部金物を接合することにより，スライド金物，タイトフレーム及び押え金具を互いに摺動可能に結合する。【選択図】        図１
2004162342.tif 000002
【特許請求の範囲】
【請求項１】
建築物の母屋材に対して、それ自体がスライド機構をもつタイトフレームを介して折板を取付けるようにした、屋根パネル取付け方法。
【請求項２】
折板を支持する長尺の波打ち帯板からなるタイトフレームの底部平面適所に、タイトフレームに対して直角方向に長孔を設け、この長孔のあるタイトフレーム底部平面下側に、タイトフレームの幅より長いスライド金物を長孔方向に摺動自在に接着させ、またこのタイトフレーム底部平面上側には、中心部に小孔を有し且つタイトフレーム幅より僅かに長い有弾性の押え金物を、タイトフレームの長孔上に被せるように配置し、前記スライド金物の中心部から上方に向けて形成した短円筒をタイトフレームの長孔、押え金具の小孔に挿通させた後、該短円筒の先端部を拡大させることにより，スライド金物，タイトフレーム及び押え金具を互いに摺動可能に結合するようにしてスライド機構を形成し、先端部を拡大後の短円筒は、結合されたタイトフレームを、建築の母屋材又は梁材に対して、ビス等の固着材を打ち込むための挿通孔とした、屋根パネル取付け装置。
【請求項３】
前記短円筒は，スライド金物の中心部から絞りだし成形し，且つ先端部をカシメ加工により拡大させるようにした、請求項２に記載の屋根パネル取付け装置。
【請求項４】
前記短円筒は、別途円筒体をスライド金物の中心に設けた孔の上部に接合し，且つその先端部には別途鍔状留金を取付けるようにした、請求項２に記載の屋根パネル取付け装置。
【請求項５】
タイトフレームを形成する帯板が、山部と底部の１組又は２組以上の複数組を横長に連続させたものを１単位とし、且つ底部の全部又は所要個所に長孔を設けるとともに、このタイトフレーム１単位の両端には、次のタイトフレームを連結するための突出舌片と嵌合溝孔とが夫々設けられている、請求項２に記載の屋根パネル取付け装置。
【請求項６】
タイトフレームを形成する帯板が、高い山部１個と低い山部とが１組になった波形板を１組又は２組以上の複数組横長に連続させたものを１単位とし、このタイトフレーム１単位の両端には、次のタイトフレームを連結するための突出舌片と嵌合溝孔が設けられている、請求項２に記載の屋根パネル取付け装置。
【請求項７】
前記タイトフレームの長孔は、高い山部の次の底部に設けられ、請求項２に示すスライド機構がその場所に取付けられると共に、その部分がビス等の固着材を介して母屋材又は梁材に取付けられるようにした、請求項６に記載の屋根パネル取付け装置。
【請求項８】
前記タイトフレームの両端の突出舌片と嵌合溝孔とは互いに嵌合され、連続した帯片を形成するようにした、請求項２乃至７の内１項に記載の屋根パネル取付け装置。
【発明の詳細な説明】
【０００１】
【発明の属する技術分野】
この発明は、建築物の屋根パネルとなる金属製の折板を、タイトフレーム介して下地材に取付ける方法と装置に関する。
【０００２】
【従来の技術】
従来、建築物の折板とその支持具であるタイトフレームは、屋根部分に張り渡した母屋材又は梁材の上に直接溶接、ボルト、ビス等で固定させていた。
【０００３】
【発明が解決しようとする課題】
このような屋根構造体は、外気の温度変化，直射日光等により部分的な伸縮を繰り返すが、構造部分が固定されていると、折板，梁材などの長尺物は熱膨張により互いにずれを生じて異音を発する。極端な場合、長尺部材間の移動が大きくなり、結合部分に応力が蓄積され、ついにはその部分が破損する等の事故があった。これを避けるために，例えば特開平９−３２８８６号公報に示すものは、二分割構造のサドルに下屋根のハゼ留めをボルトにより固定し、上屋根のハゼ留めに固着された屋根支持金具の逆Ｔ字形受け部を、サドルに形成した逆Ｔ字形受け部に摺動自在に支持することによって下屋根に対する上屋根の移動を許容している。また特開２０００−１１０３０７号公報に示すものは、下地材上に固定する支持部材の上部に、長孔、およびこの長孔を貫通しかつ長孔の長さ方向に摺動可能な摺動部材を保持するものであるが、このようにサドルや摺動部材を必要とするため、構造がより複雑になり，容積も嵩張る等の欠点があった。
【０００４】
【先行技術文献】
【文献１】特開平９−３２８８６号公報
【文献２】特開２０００−１１０３０７号公報
【０００５】
【課題を解決するための手段】
そこでこの発明は、建築物の母屋材に対して、それ自体がスライド機構をもつタイトフレームを介して折板を取付けるようにしたものである。すなはちこの発明においては、従来技術のように，別途サドルや摺動部材を用いることなく、折板を支持する長尺の波打ち帯板からなるタイトフレームの底部平面適所に、タイトフレームに対して直角方向に長孔を設け、この長孔のあるタイトフレーム底部平面下側に、タイトフレームの幅より長いスライド金物を長孔方向に摺動自在に接着させ、またこのタイトフレーム底部平面上側には、中心部に小孔を有し且つタイトフレーム幅より僅かに長い有弾性の押え金物を、タイトフレームの長孔上に被せるように配置し、前記スライド金物の中心部から上方に向けて絞りだし成形又は別途接合した短円筒をタイトフレームの長孔、押え金具の小孔に挿通させた後、先端部をカシメ加工または別途鍔状金物を短円筒頂部に接合することにより，スライド金物，タイトフレーム及び押え金具を互いに摺動可能に結合してスライド機構を形成する。先端拡大後の短円筒は、このようにスライド金具と押え金具によって結合されたタイトフレームを、建築の梁構造となる母屋材又は梁材に対して、ビス等の固着材を打ち込むための挿通孔を形成する。
【０００６】
この発明のもう１つの特徴は、タイトフレームを形成する帯板が、山部と底部の１組又は２組以上の複数組を横長に連続させたものを１単位とし、且つ底部の全部又は所要個所に長孔を設けるとともに、このタイトフレーム１単位の両端には、次のタイトフレームを連結するための突出舌片と嵌合溝孔とが夫々設けられていて、建物の規模に応じてこのタイトフレームを所要単位数連結させて用いることができることである。また、この発明の別の実施例では、高い山部１個と低い山部数個とが一組になった波形板を、１組又は数組横長に連続させたたものを１単位とし、このタイトフレーム１単位の両端には、前実施例と同様に、突出舌片と嵌合溝孔が設けられている。前記タイトフレームの長孔は、高い山部の次の底部に設けられ、前項に示したスライド機構がその場所に取付けられると共に、その部分がビス等の固着材を介して母屋材に取付けられる。
【０００７】
【発明の実施の態様】
この発明のタイトフレームの１実施例を図１に示す。タイトフレーム１を形成する帯板は、１個の高い山部２と２個の低い山部３とが一組になった波形板を数組横長に連続させたものを１単位とし、このタイトフレーム１の両端には、次のタイトフレームを連結するための突出舌片４と嵌合溝孔５が設けられ、図２に示すように、１つのタイトフレーム１右端の突出舌片４が、次のタイトフレーム１′左端の嵌合溝孔５に挿入され嵌合されると、タイトフレーム１，１′は連続した一体のフレームとなる。このようにして、建物の規模に応じてこのタイトフレームを所要単位数連結させて用いることができる。なお、他の実施例では，タイトフレームが同一寸法に山部及び底部に１組又は数組によって形成される場合もある。この場合、長孔は底部全部又は所要個所に設けられる。
【０００８】タイトフレーム１の高い山部の一側の底部平面６適所に、タイトフレーム１の長さ方向に対して直角方向に、長孔７が設けられる。この長孔７のあるタイトフレーム底部平面６の下側に、図３及び４に示すように、タイトフレームの幅より長いスライド金物８を長孔方向に摺動自在に接着させ、またこのタイトフレーム底部平面６上側には、中心部に小孔９を有し且つタイトフレーム幅より僅かに長い有弾性の押え金物１０を、タイトフレームの長孔上に被せるように配置する。
【０００９】
スライド金物８の中心部から上方に向けて、短円筒１１を絞りだし成形する。この短円筒１１をタイトフレーム１の長孔７、押え金具１０の小孔９に挿通させた後、先端部をバーリング処理（カシメ加工）することにより，図３及び４に示すように、スライド金物８，タイトフレーム１及び押え金具１０を互いに長孔方向に摺動可能なように結合する。バーリング処理後の短円筒１１は、固着材のための挿通孔１２を形成し、固着材としてビス１３を挿通孔１２の上方から、タイトフレーム１の下にある、建築の梁構造となる母屋材１４に対して打ち込む。このようにしてスライド金物８と押え金具１０によって結合されたタイトフレーム１は、建築の母屋材１４に対して、スライド可能に取付けられる。なお、前記短円筒１１は、別途用意した円筒体をスライド金物の中心に設けた孔の上部に接合し，且つその先端部には別途鍔状留金を取付けて、タイトフレーム１、スライド金物及び押え金具１０を結合するようにしてもよい。
【００１０】
図５は、このタイトフレーム１が母屋材１４に取付けられた状態の断面を示す。母屋材１４は断面Ｚ形、Ｃ形等の薄板材で形成され、作業者が手工具によりビス１３を打込み固定させることができる程度の厚さ（１．６〜３．２ｍｍ）を保持する。しかしこの発明はそれに限定されることなく、従来形のボルト・ナットを母屋材のＣ形鋼、Ｈ形鋼に固着させることも可能である。また、スライド金物８は、母屋材との間に断熱材を介在させ、その押えの役を兼務することもできる。
【００１１】
【発明の効果】
この発明は以上のように構成したので、従来品に比べて下記のような効果がある。
１．屋根パネルが温度変化により伸縮した場合でも、タイトフレームのスライド部分が屋根パネルの変位に追随し、屋根パネルとタイトフレーム、及びタイトフレームと下地材との取付け部分に、過度の応力集中を与えない屋根パネル構造がコンパクトに構成される。
２．タイトフレームと下地材を取付けるビスを締付けても、短円筒により支持されるので、タイトフレームはスライド性能を保ったまま、ビスを引抜く力に耐えることができる。
３．取付けの際、タイトフレームを容易にスライドのセンターに合わせることができる。
４．タイトフレーム下部に断熱材を設置するスペースが確保される。
５．タイトフレームには施工時、踏まれてもつぶされることがないよう、連続した山部による施工荷重支点が設けられている。
６．隣合うタイトフレームの端部を突出舌片と嵌合溝孔によって接合できるので、施工精度を保ちながら、広範囲の屋根パネル施工が可能となる。
【図面の簡単な説明】
【図１】この発明のタイトフレームの一実施例の見取り図である。
【図２】隣合うタイトフレームの接合状態を示す見取り図である。
【図３】この発明のスライド部各部品を展開した見取り図である。
【図４】この発明のスライド機構の各部品を結合させた見取り図である。
【図５】図３に示すスライド部の縦断面図である。
【符号の説明】
１  タイトフレーム
２  高い山部
３  低い山部
４  突出舌片
５  嵌合溝孔
６  底部平面
７  長孔
８  スライド金物
９  小孔
１０  押え金物
１１  短円筒
１２  挿通孔
１３  ビス
１４  母屋材
【図１】
2004162342.tif 000003
【図２】
2004162342.tif 000004
【図３】
2004162342.tif 000005
【図４】
2004162342.tif 000006
【図５】
2004162342.tif 000007